(57)【要約】【課題】外窓と内窓とを閉じ状態にロックするまたはそのロックを解除することが可能でかつその操作が容易なサッシ用ロック具の提供。【解決手段】外窓及び内窓を閉じた状態において、一端部がサッシ枠の内周部に当接しかつ他端部が内窓の外周部に当接して水平方向に延びる水平姿勢にサッシ枠と内窓との間に装着自在なアーム体１が設けられ、アーム体１には、その長手方向の端部に配置される収納部２に収納される収納位置と収納部から側方に突出する突出位置とに位置変更自在に収納部２に支持されているロック体３が設けられている。【選択図】図１
0003121869.tif 000002
【実用新案登録請求の範囲】
【請求項１】
引き違い状態で外窓と内窓とをスライド移動自在に備えたサッシ枠において、前記外窓と前記内窓とを閉じ状態にロックするサッシ用ロック具であって、
前記外窓及び前記内窓を閉じた状態において、一端部が前記サッシ枠の内周部に当接しかつ他端部が前記内窓の外周部に当接して水平方向に延びる水平姿勢に前記サッシ枠と前記内窓との間に装着自在なアーム体が設けられ、
前記アーム体には、その長手方向の端部に配置される収納部に収納される収納位置と前記収納部から側方に突出する突出位置とに位置変更自在に前記収納部に支持されているロック体が設けられているサッシ用ロック具。
【請求項２】
前記ロック体が、前記アーム体の長手方向に沿う軸心周りでの揺動により前記収納位置と前記突出位置とに位置変更自在に設けられている請求項１に記載のサッシ用ロック具。
【考案の詳細な説明】
【技術分野】
【０００１】  本考案は、引き違い状態で外窓と内窓とを水平方向にスライド移動自在に備えたサッシ枠において、前記外窓と前記内窓とを閉じ状態にロックするサッシ用ロック具に関する。
【背景技術】
【０００２】  上記のようなサッシ用ロック具は、防犯などのために用いるものであり、外窓と内窓とを閉じ状態にロックすることにより外窓及び内窓のスライド移動を規制する。そして、外窓と内窓との閉じ状態へのロックを解除することにより、外窓や内窓をスライド移動可能として、外窓や内窓を開放できるようにしている。【０００３】  このようなサッシ用ロック具として、従来、外窓の召し合せ部分に被係合体を備え、内窓の召し合せ部分に被係合体に係合する係合位置とその係合を解除する解除位置とに水平軸心回りで揺動自在な係合体を備えた、いわゆるクレセント錠が設けられている。
この従来のサッシ用ロック具では、外窓と内窓とを閉じ状態とした後、係合体を解除位置から係合位置に揺動操作することにより外窓と内窓とを閉じ状態にロックするようにしている。そして、係合体を係合位置から解除位置に揺動操作することにより外窓と内窓との閉じ状態へのロックを解除するようにしている。【０００４】
【特許文献１】  特開平５−２０２６６４号公報
【考案の開示】
【考案が解決しようとする課題】
【０００５】  上記従来のサッシ用ロック具では、使用者が係合体を係合位置と解除位置とに揺動操作することになるが、解除位置から係合位置に揺動操作するときには、被係合体に対して係合体を押し込むように揺動操作させなければならず、係合位置から解除位置に揺動操作するときには、被係合体から係合体を引き離すように揺動操作しなければならない。したがって、幼児や手指に障害のある人にとっては、係合体の揺動操作が難しいものとなっている。【０００６】  本考案は、かかる点に着目してなされたものであり、その目的は、外窓と内窓とを閉じ状態にロックするまたはそのロックを解除することが可能でかっその操作が容易なサッシ用ロック具を提供する点にある。
【課題を解決するための手段】
【０００７】  この目的を達成するために、本考案にかかるサッシ用ロック具の第１特徴構成は、引き違い状態で外窓と内窓とをスライド移動自在に備えたサッシ枠において、前記外窓と前記内窓とを閉じ状態にロックするサッシ用ロック具において、
前記外窓及び前記内窓を閉じた状態において、一端部が前記サッシ枠の内周部に当接しかつ他端部が前記内窓の外周部に当接して水平方向に延びる水平姿勢に前記サッシ枠と前記内窓との間に装着自在なアーム体が設けられ、前記アーム体には、その長手方向の端部に配置される収納部に収納される収納位置と前記収納部から側方に突出する突出位置とに位置変更自在に前記収納部に支持されているロック体が設けられている点にある。【０００８】  すなわち、内窓を閉じ状態として、一端部がサッシ枠の内周部に当接しかつ他端部が内窓の外周部に当接して水平方向に延びる水平姿勢にアーム体を装着する。このとき、ロック体が突出位置に位置するときに、外窓側にロック体が突出するようにアーム体を装着する。すると、内窓をスライド移動させようとしても、アーム体がサッシ枠と内窓の間において突っ張ることにより内窓のスライド移動が規制されることになり、内窓を閉じ状態にロックできる。そして、外窓を閉じ状態として、ロック体を収納位置から突出位置に位置変更操作することにより、ロック体が収納部から突出して外窓の側枠部分に当接可能となる。すると、外窓をスライド移動させようとしても、その外窓の側枠部分にロック体に当接することになる。このとき、ロック体はアーム体に設けられた収納部に支持されており、且つ、アーム体がサッシ枠と内窓の間において突っ張るので、ロック体が外窓のスライド移動を規制して、外窓を閉じ状態にロックできる。
また、ロック体を突出位置から収納位置に位置変更操作することにより、ロック体が収納部に収納されて外窓の側枠部分に対してロック体が当接することなく、外窓をスライド移動させることができることになる。そして、内窓については、アーム体を取り外すことによりスライド移動させることができることになる。【０００９】  このようにして、ロック体を収納位置から突出位置に位置変更操作するだけで、外窓と内窓とを閉じ状態とすることができ、ロック体を突出位置から収納位置に位置変更するだけで、外窓のロック状態を解除することができることになる。
そして、突出位置は、収納部から突出した位置であるので、ロック体の収納位置と突出位置との位置変更操作は、単に、収納部から側方にロック体を突出させるまたは収納部にロック体を引退させる操作を行うだけでよく、容易な操作となる。
したがって、外窓と内窓とを閉じ状態にロックするまたはそのロックを解除することが可能でかつその操作が容易なサッシ用ロック具を提供できるに至った。【００１０】  本考案にかかるサッシ用ロック具の第２特徴構成は、前記ロック体が、前記アーム体の長手方向に沿う軸心周りでの揺動により前記収納位置と前記突出位置とに位置変更自在に設けられている点にある。【００１１】  すなわち、ロック体が揺動により収納位置と突出位置とに位置変更するので、例えば、ロック体に棒状の人為式の操作部を設け、その操作部を押し操作及び引き操作することにより、ロック体を収納位置と突出位置とに位置変更させることができることになる。したがって、操作部を押し操作及び引き操作するという簡易な操作によってロック体を位置変更させることができることになる。
また、ロック体を揺動により収納位置と突出位置とに位置変更させるので、ロック体をスライド移動により収納位置と突出位置とに位置変更させるものに比べて、操作部を操作する範囲を小さくでき、しかも、その操作力を小さくできることとなって、ロック体の位置変更操作の容易化を図ることができることになる。
【考案を実施するための最良の形態】
【００１２】  本考案にかかるサッシ用ロック具の実施形態について、図面に基づいて説明する。
このサッシ用ロック具Ｒは、図１に示すように、長尺状のアーム体１と、そのアーム体１の長手方向の端部に配置される収納部２に収納されるロック体３とから構成されている。
前記アーム体１は、ロック体３を収納する収納部２、収納部２から一方向に延びる第一アーム部分４、及び、収納部２から他方向に延びる第二アーム部分５から構成されている。前記第一アーム部分４は、第二アーム部分５よりもその長さが長く形成されており、収納部２が、アーム体１の長手方向の端部に配置されている。【００１３】  前記第一アーム部分４及び第二アーム部分５の夫々は、その端部を上方側に立設するように折り曲げた当接部４ａ，５ａが形成されている。そして、間隔を隔てて対向する一対の壁などに対して、当接部４ａ，５ａの夫々を当接させることにより、一対の壁の間にアーム体１を水平姿勢で装着自在に構成されている。
また、第一アーム部分４及び第二アーム部分５は、その長手方向に伸縮自在で、伸長した状態及び縮小した状態を保持できるように構成されている。図示は省略するが、説明を加えると、第一アーム部分４及び第二アーム部分５は、棒状体とその棒状体をスライド移動自在に外嵌する筒状体とからなる二重構造になっている。そして、筒状体に対して棒状体を突出させて伸長した状態、及び、筒状体に対して棒状体を引退させた縮小した状態を保持する保持手段が設けられている。この保持手段は、例えば、棒状体を筒状体から突出する側に付勢するコイルバネなどの付勢手段及び筒状体に対する棒状体のスライド移動を規制する規制手段から構成することができる。【００１４】  前記収納部２は、上方側が開口したコ字状に形成されており、ロック体３を収納部２から側方に突出可能に構成されている。
前記ロック体３は、アーム体１の長手方向に沿う軸心Ｐ周りで揺動自在に収納部２に支持されており、平面視において収納部２に収納される収納位置（図１中実線）と収納部２から側方に突出する突出位置（図１中点線）とに揺動自在に設けられている。
そして、ロック体３には、棒状の操作部６が枢支連結されており、この操作部６を押し操作または引き操作することにより、ロック体３を収納位置と突出位置とに位置変更することができる。【００１５】  このように構成されたサッシ用ロック具Ｒは、図２及び図３に示すように、引き違い状態で外窓７と内窓８とをスライド移動自在に備えたサッシ枠９に対して着脱自在に設けられている。図２は、サック枠９にサッシ用ロック具Ｒを水平姿勢に装着した状態を示しており、図３（イ）は、図２の要部拡大平面図であり、図３（ロ）は、外窓７及び内窓８のスライド移動方向視における図２の要部拡大図である。
前記サッシ枠９は、矩形状に形成されており、平行に並ぶ二本の案内レールにて外窓７及び内窓８の夫々をスライド移動自在に支持している。前記外窓７及び内窓８の夫々は、矩形状の窓部分を矩形状の枠部分にて覆うように構成されている。【００１６】  前記サッシ枠９に対してサッシ用ロック具Ｒを装着するときには、まず、内窓８を閉じ状態とし、第一アーム部分４及び第二アーム部分５を適宜縮小させて、第一アーム部分４を内窓８側にかつ第二アーム部分５をサッシ枠９側に位置させる状態で、内窓８とサッシ枠９との間にアーム体１を位置させる。このとき、上下方向では、アーム体１をサッシ枠９の下端部に近接位置させる。
その後、第一アーム部分４及び第二アーム部分５を適宜伸長させて、第一アーム部分４の当接部４ａを内窓８の外周部８ａに当接させ、且つ、第二アーム部分５の当接部５ａをサッシ枠９の内周部９ａに当接させることにより、図２に示すように、内窓８とサッシ枠９との間にアーム体１を水平姿勢で装着する。【００１７】  このように、内窓８とサッシ枠９との間にアーム体１を水平姿勢に装着すると、内窓８をスライド移動させようとしても、アーム体１がサッシ枠９と内窓８の間において突っ張ることにより内窓８のスライド移動が規制されることになり、内窓８を閉じ状態にロックできる。【００１８】  そして、内窓８とサッシ枠９との間にアーム体１を水平姿勢に装着したのち、外窓７を閉じ状態として、ロック体３に固定された操作部８を外窓７に近づく側へ押し操作することにより、ロック体３を収納部２に収納される収納位置｛図３（ロ）の点線｝から揺動させて突出位置｛図３（イ）及び図３（ロ）の実線｝に位置変更させる。前記ロック体３が突出位置に位置することにより、ロック体３が収納部２から側方に突出して外窓７の側枠部分７ａに当接することになる。
そして、ロック体３を突出位置に位置させると、外窓７をスライド移動させようとしても、その外窓７の側枠部分７ａにロック体３が当接することになり、外窓７のスライド移動は規制されて外窓７を閉じ状態にロックできる。ちなみに、ロック体３は、突出位置に位置するときに、外窓７の側枠部分７ａに当接するようにＬ字状に形成されており、衝撃に対して耐久性があり且つ重量がある材料にて形成するのが好ましい。【００１９】  外窓７をスライド移動させたいときには、操作部８を外窓７から離れる側へ引き操作することにより、ロック体３を揺動させて突出位置から収納位置に位置変更操作する。すると、ロック体３が収納部２内に収納されて、外窓７の側枠部分７ａに対してロック体３が当接せず、外窓７をスライド移動させることができる。また、内窓８をスライド移動させたいときには、第一アーム部分４及び第二アーム部分５を縮小させてアーム体１を取り外すことにより、内窓８をスライド移動させることができることになる。【００２０】    〔別実施形態〕
（１）上記実施形態では、アーム体１の長手方向に沿う軸心Ｐ周りでロック体３を揺動させることによりロック体３を収納位置と突出位置とに位置変更するようにしているが、ロック体３を収納部２に対してスライド移動させることにより収納位置と突出位置とに位置変更するように構成することも可能となる。【００２１】（２）上記実施形態では、内窓８をスライド移動させるために、水平姿勢に装着されたアーム体１を取り外すようにしているが、水平姿勢に装着されたアーム体１を取り外すことなく、内窓８をスライド移動させるように構成することもできる。
例えば、収納部２に対してアーム体１の第一アーム部分４を上下軸心周りで揺動自在に設け、その第一アーム部分４の揺動を規制する規制状態とその規制を解除する解除状態とに切換自在な規制手段を設ける。ちなみに、この規制手段は、例えば、係合溝に対してピン状の係合体を抜き差しすることにより規制状態と解除状態とに切換自在とするように切換操作が容易なものが好ましい。
そして、規制手段を規制状態に切り換えてアーム体１を水平姿勢に装着することにより、内窓８のスライド移動を規制することができる。また、規制手段を解除状態に切り換えて、水平姿勢に装着されたアーム体１における第一アーム部分４を揺動させることにより、内窓８をスライド移動させることができる。【００２２】（３）上記実施形態では、ロック体３に棒状の操作部８を枢支連結し、この操作部８を押し操作または引き操作することによりロック体３を収納位置と突出位置とに位置変更させるようにしているが、ロック体３を位置変更操作するための操作部の形状については適宜変更が可能であり、どのような操作によってロック体３を位置変更させるかは適宜変更が可能である。
【図面の簡単な説明】
【００２３】
【図１】  サッシ用ロック具の斜視図
【図２】  サッシ枠及びサッシ用ロック具の正面図
【図３】  サッシ枠及びサッシ用ロック具の要部拡大図
【符号の説明】
【００２４】  １          アーム体
２          収納部
３          ロック体
７          外窓
８          内窓
９          サッシ枠
【図１】
0003121869.tif 000003
【図２】
0003121869.tif 000004
【図３】
0003121869.tif 000005